(57)【要約】【課題】ペットボトルなどの容器の支持が可能であり、本体の高さをできるだけ小さくしたカップホルダを得る。【解決手段】蓋体３６が開放されると、側壁部材２２が本体１２の周壁の上端面から突出し、カップ部２０の外側では、側壁部材２２の壁部２４がせり上がってくる。つまり、容器１６の側部を支持可能な壁部２４の高さが高くなる。したがって、側壁部材２２がせり上がった分、容器１６を支持可能な支持部の深さが深くなることとなる。このため、缶よりも高さのあるペットボトルなどの容器１６も安定した状態で支持可能となる。【選択図】図３
2010247565.tif 000002
【特許請求の範囲】
【請求項１】
容器を収容する収容部が設けられた本体と、
前記本体に移動可能に設けられ、前記収容部の開口を開閉する蓋体と、
前記収容部内に上下移動可能に設けられ、前記収容部内に収容された容器の側部を支持する側壁部材と、
前記蓋体の開閉動作を前記側壁部材の上下移動動作に変換する変換手段と、
を有するカップホルダ。
【請求項２】
前記変換手段が、
前記蓋体を支持する支持アームと、
前記本体の高さ方向に沿って設けられ、前記支持アームの端部に設けられた第１ギアと噛み合って、前記第１ギアを回転させながら蓋体を開閉させる第１ラックと、
前記側壁部材に設けられ、前記第１ギアと噛み合い、前記第１ギアの回転により前記側壁部材を上下移動させる第２ラックと、
を含んで構成された請求項１に記載のカップホルダ。
【請求項３】
前記収容部には、前記側壁部材の中で容器を支持するカップ部が設けられ、前記側壁部材には、前記蓋体が閉止された状態で前記カップ部に当接して収納され、蓋体の開放動作で該カップ部側へ張出す支持片が設けられた請求項１又は２に記載のカップホルダ。
【請求項４】
前記本体に一端部が取付けられ、前記第２ラックに他端部が取付けられて、前記蓋体が所定角度以上開放すると、前記第２ラックを上方へ移動させる方向へ付勢し、前記蓋体が所定角度以下に閉止されると、第２ラックを下方へ移動させる方向へ付勢する反転バネが設けられた請求項２又は３に記載のカップホルダ。
【請求項５】
前記側壁部材にダンパギアが設けられ、前記本体に設けられた第３ラックと噛み合っている請求項１〜４の何れか１項に記載のカップホルダ。
【請求項６】
前記蓋体が閉止された状態で、蓋体を前記本体に係止し、蓋体を押圧すると、係止状態を解除すると共に、蓋体を開放させる方向へ付勢する係止手段が設けられた請求項１〜５の何れか１項に記載のカップホルダ。
【発明の詳細な説明】
【技術分野】
【０００１】
本発明は、車両の室内などに設けられるカップホルダに関する。
【背景技術】
【０００２】
自動車のセンターコンソールに設けられたカップホルダには、容器を収納する収納部が設けられ、蓋体によって該収納部が開閉可能となっている。
【０００３】
例えば、特許文献１では、本体に設けられ容器を収容可能な筒部内に、４つの脚片が設けられた容器受け板を収容可能としている。筒部内に収容される容器の高さに応じて、該容器受け板を上下逆にするようにしている。
【０００４】
また、特許文献２では、容器を支持可能な底受け部材が蓋体に設けられており、本体の筒部内へ傾倒可能に支持されている。筒部内に収容される容器の高さに応じて、該底受け部材を傾倒、又は起立させるようにしている。
【先行技術文献】
【特許文献】
【０００５】
【特許文献１】特開２００３−３５９９４号公報
【特許文献２】特開２００６−１９３８８３号公報
【発明の概要】
【発明が解決しようとする課題】
【０００６】
つまり、これらの先行技術は、筒部内に容器受け板や底受け部材を配置することによって底上げし、筒部内に収容される容器の高さを調整できるようにしているため、筒部の深さはペットボトルなど大きい容器に合わせた深さに設定される。このため、本体の高さが高くなってしまう。
【０００７】
本発明は上記事実を考慮して、ペットボトルなどの容器の支持が可能であり、本体の高さをできるだけ小さくしたカップホルダを提供することを課題とする。
【課題を解決するための手段】
【０００８】
請求項１に記載の発明は、カップホルダにおいて、容器を収容する収容部が設けられた本体と、前記本体に移動可能に設けられ、前記収容部の開口を開閉する蓋体と、前記収容部内に上下移動可能に設けられ、前記収容部内に収容された容器の側部を支持する側壁部材と、前記蓋体の開閉動作を前記側壁部材の上下移動動作に変換する変換手段と、を有している。
【０００９】
請求項１に記載の発明では、収容部が設けられた本体に対して、蓋体が移動可能に設けられており、該蓋体によって収容部の開口が開閉される。収容部内には、側壁部材が上下移動可能に設けられており、収容部内に収容された容器の側部を支持する。ここで、変換手段によって、蓋体の開閉動作が側壁部材の上下移動動作に変換される。
【００１０】
これにより、蓋体の開閉動作に連動して側壁部材が上下移動することとなるが、側壁部材を上方へ移動した状態で側壁部材を本体からせり上げることができる。この状態で、側壁部材によって収容部内の容器の側部を支持可能としている。
【００１１】
つまり、ここでは、蓋体を開放させると、側壁部材が上方へ向かってせり上がってくるため、側壁部材がせり上がった分、容器を支持可能な支持部の深さが深くなることとなる。このため、缶よりも高さのあるペットボトルなどの容器も安定した状態で支持される。
また、蓋体を閉止させると、側壁部材は下方へ移動し、収容部内に収容されるため、従来よりも本体の高さを低くすることができる。
【００１２】
請求項２に記載の発明は、請求項１に記載のカップホルダにおいて、前記変換手段が、前記蓋体を支持する支持アームと、前記本体の高さ方向に沿って設けられ、前記支持アームの端部に設けられた第１ギアと噛み合って、前記第１ギアを回転させながら蓋体を開閉させる第１ラックと、前記側壁部材に設けられ、前記第１ギアと噛み合い、前記第１ギアの回転により前記側壁部材を上下移動させる第２ラックと、を含んで構成されている。
【００１３】
請求項２に記載の発明では、蓋体が支持アームによって支持されており、支持アームの端部には第１ギアが設けられている。一方、本体には、高さ方向に沿って第１ラックが設けられており、第１ギアと噛み合って、該第１ギアを回転させながら第１ラックに沿って第１ギアを上下移動させ蓋体を開閉させる。また、側壁部材には、第１ギアと噛み合う第２ラックが設けられており、第１ギアの回転により該第２ラックを介して側壁部材が上下移動する。つまり、蓋体の開閉動作に連動して側壁部材が上下移動する。
【００１４】
請求項３に記載の発明は、請求項１又は２に記載のカップホルダにおいて、前記収容部には、前記側壁部材の中で容器を支持するカップ部が設けられ、前記側壁部材には、前記蓋体が閉止された状態で前記カップ部に当接して収納され、蓋体の開放動作で該カップ部側へ張出す支持片が設けられている。
【００１５】
請求項３に記載の発明では、側壁部材の中に、容器を支持するカップ部を設けている。また、側壁部材には、蓋体が閉止された状態でカップ部に当接して収納される支持片が設けられており、蓋体の開放動作で該支持片がカップ部側へ張出すようになっている。これにより、容器の外径寸法がカップ部の内径寸法よりも小径の場合でも、支持片が容器の側壁に当接することで、容器の水平方向の移動を規制し、容器を安定した状態で支持することができる。
【００１６】
請求項４に記載の発明は、請求項２又は３に記載のカップホルダにおいて、前記本体に一端部が取付けられ、前記第２ラックに他端部が取付けられて、前記蓋体が所定角度以上開放すると、前記第２ラックを上方へ移動させる方向へ付勢し、前記蓋体が所定角度以下に閉止されると、第２ラックを下方へ移動させる方向へ付勢する反転バネが設けられている。
【００１７】
請求項４に記載の発明では、反転バネの一端部が本体に取付られ、反転バネの他端部が第２ラックに取付けられて、蓋体の開閉途中で反転バネの付勢力の作用する向きを変えるようにしている。これにより、蓋体が所定角度以上開放すると、第２ラックを上方へ移動させる方向へ付勢して蓋体を開放させ、蓋体が所定角度以下に閉止されると、第２ラックを下方へ移動させる方向へ付勢して蓋体を閉止させることができる。
【００１８】
請求項５に記載の発明は、請求項１〜４の何れか１項に記載のカップホルダにおいて、前記側壁部材にダンパギアが設けられ、前記本体に設けられた第３ラックと噛み合っている。
【００１９】
請求項５に記載の発明では、側壁部材にダンパギアを設けて、本体の第３ラックと噛み合わせることで、側壁部材を上下移動させる際に、側壁部材の速度を減速して側壁部材をゆっくり移動させることができる。側壁部材と蓋体とは変換手段によって連動しているため、側壁部材がゆっくり移動することで蓋体をゆっくり移動させることができる。これにより、カップホルダに高級感が得られる。
【００２０】
請求項６に記載の発明は、請求項１〜５の何れか１項に記載のカップホルダにおいて、前記蓋体が閉止された状態で、蓋体を前記本体に係止し、蓋体を押圧すると、係止状態が解除されると共に、蓋体を開放させる方向へ付勢する係止手段が設けられている。
【００２１】
請求項６に記載の発明では、蓋体が閉止された状態で、蓋体を本体に係止する係止手段を設け、蓋体が閉止された状態で蓋体を押圧すると、係止状態が解除され蓋体が開放する方向へ付勢されるため、蓋体の自由端部を指で引っ掛けて蓋体を開放させる場合と比較して便利である。
【発明の効果】
【００２２】
本発明は、上記構成としたので、ペットボトルなどの容器の支持が可能であり、本体の高さをできるだけ小さくすることができる。
【図面の簡単な説明】
【００２３】
【図１】本実施形態に係るカップホルダの蓋体の閉止状態を示す斜視図である。
【図２】本実施形態に係るカップホルダの蓋体の完全開放状態を示す斜視図である。
【図３】本実施形態に係るカップホルダの作用を説明する斜視図である。
【図４】本実施形態に係るカップホルダの作用を説明する一部破断図である。
【図５】（Ａ）は図１の５（Ａ）−５（Ａ）断面図であり、（Ｂ）は図２の５（Ｂ）−５（Ｂ）断面図である。
【図６】本実施形態に係るカップホルダの蓋体の閉止状態を示す側面図である。
【図７】本実施形態に係るカップホルダの蓋体が３０°開放された状態を示す側面図である。
【図８】本実施形態に係るカップホルダの蓋体が４５°開放された状態を示す側面図である。
【図９】本実施形態に係るカップホルダの蓋体が６０°開放された状態を示す側面図である。
【図１０】本実施形態に係るカップホルダの蓋体が７５°開放された状態を示す側面図である。
【図１１】本実施形態に係るカップホルダの蓋体の完全開放状態を示す側面図である。
【図１２】（Ａ）、（Ｂ）は、本実施形態に係るカップホルダの第１変形例を示す断面図である。
【図１３】（Ａ）、（Ｂ）は、本実施形態に係るカップホルダの第２変形例を示す断面図である。
【図１４】本実施形態に係るカップホルダの第３変形例を示す斜視図である。
【発明を実施するための形態】
【００２４】
以下、本発明の実施の形態に係るカップホルダについて説明する。
図１及び図２に示すカップホルダ１０は、図示はしないが、車両の運転席と助手席との間に配置されたセンターコンソールに配置されており、センターコンソールに設けられた凹部内に収納可能となっている。
【００２５】
＜カップホルダの構成＞
図１〜図３に示すように、カップホルダ１０は、箱状を成す本体１２を備えており、本体１２の収容部１４内には、容器１６、１８（図３参照）を支持可能な筒状のカップ部２０が、収容部１４の長手方向に沿って、ここでは２つ配置されている。カップ部２０の外周面と本体１２の周壁の間には、側壁部材２２が設けられている。
【００２６】
この側壁部材２２は底面を上面２２Ａとする略箱状を成しており、収容部１４内へ収容可能とされている。また、側壁部材２２の上面２２Ａからは、カップ部２０に対応する位置に、該カップ部２０へ外挿される筒状の壁部２４が垂下している。
【００２７】
さらに、側壁部材２２は、本体１２に対して上下移動可能となっており（後述する）、図５（Ａ）に示すように、側壁部材２２が最下部に位置している状態（蓋体３６が閉止された状態）では、カップ部２０の先端面の略面一に側壁部材２２の上面２２Ａが配置され、図５（Ｂ）に示すように、側壁部材２２が最上部に位置している状態（蓋体３６が完全開放された状態）では、カップ部２０の先端面よりも高い位置に側壁部材２２の上面２２Ａが配置される。
【００２８】
また、図２に示すように、側壁部材２２の壁部２４と壁部２４の間には、切欠き部２６が設けられており、該切欠き部２６内には、長方形状の板材で形成された一対のフラップ（支持片）２８が収納された状態で、それぞれ壁部２４の一部を構成している。
【００２９】
このフラップ２８の両側壁上部には、シャフト３０が設けられており、該シャフト３０が切欠き部２６の上部に設けられた軸孔（図示省略）内へ内嵌され、回転可能に支持されている。シャフト３０は軸孔との摺動抵抗により、所定の回転角度を維持することができる。また、シャフト３０には、当接部（図示省略）が設けられており、軸孔内に設けられたストッパ（図示省略）に当接することによって、シャフト３０は約０〜９０°の範囲内を回転可能とされる。
【００３０】
図３に示すように、カップ部２０内に挿入された容器１８の外径寸法がカップ部２０の内径寸法よりも小径の場合、フラップ２８を壁部２４内へ張出させることで、該フラップ２８が容器１８の側面に当接して、この容器１８を支持することができる。ここで、フラップ２８の先端部には、缶などの小径の容器１８に合わせた曲率を有する凹状の円弧部２８Ａを設けている。
【００３１】
また、図５（Ａ）に示すように、側壁部材２２が最下部に位置している状態では、カップ部２０の先端面の略面一に側壁部材２２の上面２２Ａが配置されるため、フラップ２８を９０°開放させた状態で、側壁部材２２を最下部へ移動させると、フラップ２８がカップ部２０の上端部と干渉してしまう。
【００３２】
このため、図２に示すように、カップ部２０の上端部の、側壁部材２２の切欠き部２６側には、フラップ２８の肉厚分の切欠き部３４を設け、図４に示すように、側壁部材２２が最下部に位置している状態で、９０°開放させた状態のフラップ２８とカップ部２０との干渉を回避するようにしている。
【００３３】
一方、図１及び図２に示すように、カップホルダ１０は、長板状の蓋体３６を備えており、蓋体３６の幅方向の一端部を中心に本体１２に対して、開閉可能とされている。本体１２の前壁１２Ａの上端中央部には、切欠き部３８が形成されており、該切欠き部３８を通じて、蓋体３６の自由端部に指を掛けることができる。
【００３４】
蓋体３６の幅方向の一端部からは、蓋体３６の幅方向の他端部側の斜め下方へ向かって支持アーム４０（変換手段）が延出している。この支持アーム４０の先端部には、ギア（第１ギア）４２が設けられており、ギア４２の裏側には図示はしないが係合突起が設けられている。
【００３５】
一方、図１、図２及び図６に示すように、本体１２の側壁１２Ｂには、本体１２の高さ方向に沿ってラック（第１ラック）４４が形成されており、該ラック４４にギア４２が噛み合い可能とされている。また、本体１２の側壁１２Ｂには、ラック４４と平行に係合溝４６が形成されており、該係合溝４６には、ギア４２に設けられた係合突起が係合可能とされ、該係合突起及び係合溝４６を介して、ギア４２をガイドしている。
【００３６】
蓋体３６を開閉させると、支持アーム４０を介してギア４２が回転すると共に、ラック４４に沿ってギア４２が上下移動する。これにより、支持アーム４０の軸部の位置が変わり、蓋体３６を開放させた状態で、蓋体３６を本体１２の背面側へ移動させることができる。
【００３７】
また、本体１２の側壁１２Ｂには、ラック４４と平行に、開口部４８が設けられており、側壁１２Ｂを貫通している。この開口部４８からは、側壁部材２２の側壁１２Ｂに設けられたラック（第２ラック）５０が露出している。このラック５０が支持アーム４０のギア４２と噛み合っており、蓋体３６の開閉によるギア４２の回転によって該ラック５０を介して、側壁部材２２を上下移動させる。つまり、蓋体３６の開閉移動に連動して側壁部材２２が上下移動する。
【００３８】
ラック５０には、取付部５２が設けられており、反転バネ５４の一端部が取付けられている。反転バネ５４の他端部は、本体１２の側壁１２Ｂの高さ方向の中央部に設けられた取付部５６に取付けられている。この反転バネ５４によって、ラック５０の位置で反転バネ５４による付勢力の向きが変わるようにしている。
【００３９】
具体的には、取付部５２の位置が取付部５６へ接近する方向へ移動すると、反転バネ５４には付勢力が蓄積され、取付部５２が取付部５６から離間する方向へ移動するときに、反転バネ５４による付勢力（復元力）が作用することとなる。
【００４０】
一例として、蓋体３６の開放角度が３０°（図７参照）〜６０°（図９参照）の範囲では、反転バネ５４には付勢力が蓄積され、蓋体３６の開放角度が６０°以上、又は蓋体３６の開放角度が３０°以下の範囲では、反転バネ５４による付勢力が作用する。なお、図８は蓋体３６の開放角度が約４５°の状態を示している。
【００４１】
そして、図１１に示すように、蓋体３６の完全開放状態では、反転バネ５４には矢印Ｂ方向の付勢力が作用し、該付勢力によって、取付部５２を介して、ラック５０を押し上げ、支持アーム４０を介して、蓋体３６は開放する方向へ付勢される。また、図６に示すように、蓋体３６の閉止状態では、反転バネ５４には矢印Ａ方向の付勢力が作用し、該付勢力によって、取付部５２を介して、ラック５０を押し下げ、支持アーム４０を介して、蓋体３６は閉止する方向へ付勢される。
【００４２】
なお、これらの角度については、反転バネ５４の取付部５２、５６の位置を変えることによって、調整可能である。
【００４３】
一方、図１、図２及び図６に示すように、本体１２の側壁１２Ｂには、開口部４８と平行に、開口部５８が設けられており、側壁１２Ｂを貫通している。この開口部５８には、ラック４４と平行にラック６０（第３ラック）が形成されており、このラック６０には、側壁部材２２の側壁１２Ｂに設けられたダンパギア６２のギア部６２Ａが噛み合っている。
【００４４】
このダンパギア６２のハウジング６２Ｂには、シリコンオイル等の粘性流体が充填されており、ギア部６２Ａには正回転及び逆回転共に、粘性流体による粘性抵抗が作用して、該粘性抵抗による減衰力が作用する。
【００４５】
＜カップホルダの作用＞
図１及び図６に示すように、蓋体３６が閉止された状態から、本体１２に形成された切欠き部３８を通じて、蓋体３６の自由端部に指を掛けて蓋体３６を開放方向へ移動させる。これにより、図７及び図８に示すように、支持アーム４０のギア４２が、本体１２のラック４４に沿って、回転しながら上方へ移動する。
【００４６】
蓋体３６の開放方向への移動により、支持アーム４０のギア４２が回転すると、ラック５０が上方へ移動する。このラック５０を介して側壁部材２２が上方へ移動する。ここで、ギア４２は回転しながら上方へ移動するため、ラック５０はギア４２の回転によって移動する場合と比較して移動速度が速くなる。
【００４７】
蓋体３６の開放角度が、図９〜図１１に示すように、６０°以上になると、反転バネ５４の取付部５２は、反転バネ５４の取付部５６の斜め上方に配置され、反転バネ５４には取付部５６を基準として、取付部５２を矢印Ｂ方向へ付勢する付勢力が作用する。なお、図１０は蓋体３６の開放角度が約７５°の状態を示している。
【００４８】
このため、取付部５２及びラック５０を介して、支持アーム４０のギア４２を回転させると共に上方へ移動させる。つまり、蓋体３６は、反転バネ５４によって開放する方向へ付勢され、自動的に開放される。
【００４９】
ここで、側壁部材２２の側壁１２Ｂには、ダンパギア６２が設けられており、該ダンパギア６２のギア部６２Ａに、本体１２の側壁１２Ｂの開口部５８に形成されたラック６０が噛み合っている。このため、側壁部材２２の移動により、ラック６０を介してギア部６２Ａが回転する。したがって、側壁部材２２には、該ギア部６２Ａを介して、ダンパギア６２による減衰力が作用することとなり、側壁部材２２は静かに移動する。これにより、このカップホルダ１０に対して高級感が得られる。
【００５０】
そして、図１１に示すように、蓋体３６が完全に開放された状態では、反転バネ５４の付勢力及び蓋体３６の自重により、蓋体３６の完全開放状態が維持される。
【００５１】
ところで、本実施形態では、図４及び図５（Ａ）に示すように、蓋体３６が閉止された状態では、カップ部２０の先端面の略面一に側壁部材２２の上面２２Ａが配置されているが、図２及び図５（Ｂ）に示すように、蓋体３６が開放されると、側壁部材２２が本体１２の周壁の上端面から突出し、カップ部２０の外側では、側壁部材２２の壁部２４がせり上がってくる。
【００５２】
つまり、容器１６の側部を支持可能な壁部２４の高さが高くなる。したがって、側壁部材２２がせり上がった分（Ｈ２）、容器１６を支持可能な支持部の深さ（Ｈ１＋Ｈ２）が深くなることとなる。このため、図３に示すように、缶よりも高さのあるペットボトルなどの容器１６も安定した状態で支持可能となる。
【００５３】
そして、蓋体３６が開放された状態では、フラップ２８を回転させ、壁部２４内へ張出させることができる。これにより、カップ部２０内に挿入された容器１８が小径の場合でも、該容器１８の側面に当接して、この容器１８を支持することができる。
【００５４】
また、このフラップ２８は、図４に示すように、壁部２４内へ張出した状態のまま、側壁部材２２の移動が可能である。このため、蓋体３６を開放させたとき、該フラップ２８が壁部２４内へ張出している場合もあるが、フラップ２８が不要の場合は、このフラップ２８を押し下げ、側壁部材２２の切欠き部２６へ収納させれば良い。
【００５５】
次に、蓋体３６を閉止方向へ移動させる。これにより、図１０〜図７に示すように、支持アーム４０のギア４２が、本体１２のラック４４に沿って、回転しながら下方へ移動する。蓋体３６の閉止方向への移動により、支持アーム４０のギア４２が回転すると、ラック５０が下方へ移動する。
【００５６】
このラック５０を介して側壁部材２２が下方へ移動するが、蓋体３６の開放角度が、約３０°以下になると、反転バネ５４の取付部５２は、反転バネ５４の取付部５６の斜め下方に配置され、反転バネ５４には取付部５６を基準として、取付部５２を矢印Ａ方向へ付勢する付勢力が作用する（図６参照）。
【００５７】
このため、取付部５２及びラック５０を介して、支持アーム４０のギア４２を回転させると共に下方へ移動させる。つまり、蓋体３６は、反転バネ５４によって閉止する方向へ付勢され、自動的に閉止される。そして、図６に示すように、蓋体３６が閉止された状態では、反転バネ５４の付勢力及び側壁部材２２の自重により、蓋体３６の閉止状態が維持される。
【００５８】
本実施形態では、蓋体３６を閉止させると、図５に示すように、側壁部材２２は下方へ移動し、収容部１４内に収容されるため、本体１２の高さとしては、カップ部２０の高さ（Ｈ１）分を確保しておけば良く、従来よりも本体１２の高さを低くすることができる。
【００５９】
＜その他の実施形態＞
本実施形態では、図３に示すように、フラップ２８を手動で張出し又は収納させるようにしたが、側壁部材２２の上下移動に連動させてフラップ２８を張出し又は収納させるようにしても良い。
【００６０】
例えば、図１２（Ａ）、（Ｂ）に示すように、フラップ２８のシャフト３０をフラップ２８の両側壁下部に設ける。該シャフト３０には図示はしないが、トーションスプリングを装着して、フラップ２８が壁部２４内へ張出す方向（矢印方向）へ付勢力が作用するようにする。
【００６１】
側壁部材２２が下部に配置されている状態では、フラップ２８の上部がカップ部２０の上端部に当接して、その移動が規制されるが、側壁部材２２が上方へ移動すると、側壁部材２２と一体にフラップ２８が上方へ移動するため、カップ部２０の上端部に当接するフラップ２８の位置が下方へ移動し、フラップ２８は徐々に壁部２４内へ張出した状態で移動規制される。
【００６２】
また、蓋体３６を閉止させるとき、側壁部材２２が下方へ移動し、フラップ２８が下方へ移動するが、カップ部２０の上端部に当接するフラップ２８の位置が下方へ移動するため、これにより、フラップ２８は徐々に起立して、側壁部材２２の切欠き部２６内へ収納される。
【００６３】
また、本実施形態では、蓋体３６を手動で開放方向へ移動させるカップホルダ１０について説明したが、例えば、図１３（Ａ）、（Ｂ）に示すように、蓋体６４をいわゆるプッシュオープンタイプにしたカップホルダ６６に本実施形態を適用させても良い。
【００６４】
この場合、一例として、蓋体６４には係止手段としてのピン（係止手段）６８が設けられ、本体７０には、該ピン６８が係止可能な、周知のラッチ装置に設けられたハート状カム（係止手段）７２が形成される。また、蓋体６４の自由端側には、スプリング（係止手段）７４が設けられ、蓋体６４を開放させる方向へ付勢する。
【００６５】
ピン６８がハート状カム７２に係止された状態では、蓋体６４は閉止状態となっており、この状態から、蓋体６４の自由端側を押圧すると、スプリング７４には付勢力が蓄積されると共に、ピン６８がハート状カム７２から外れ、係止状態が解除されるようにする。これにより、スプリング７４の付勢力によって、蓋体６４が開放される。
【００６６】
さらに、本実施形態では、図２に示すように、蓋体３６の幅方向の一端部に支持アーム４０を設け、該支持アーム４０を中心に蓋体３６を開放させる、いわゆる片引きタイプの蓋体３６について説明したが、図１４に示すように、いわゆる観音開きタイプの蓋体８０、８２を備えたカップホルダ８４に本実施形態を適用させても良い。
【００６７】
この場合、側壁部材２２を介して、蓋体８０と蓋体８２とは連動することとなる。つまり、蓋体８０を開放方向へ移動させると、蓋体８０の支持アーム８６が回転しながら上方へ移動し、ラック（第２ラック）８８を介して側壁部材２２を上方へ移動させる。これにより、ラック（第２ラック）９０を介して支持アーム９２が回転しながら上方へ移動して蓋体８２は開放方向へ移動する。
【００６８】
なお、蓋体８０、８２に対応させて、側壁部材２２を２つに分けても良い。この場合、蓋体８０と蓋体８２は独立して開放可能となるため、各側壁部材にダンパギア６２が必要となる。但し、このダンパギア６２は上記実施形態において全て用いるようにしたが、側壁部材２２を静かに移動させることができれば良いため、このダンパギア６２に変えて緩衝部材等を用いても良い。
【００６９】
以上のように、本形態はあくまでも一実施例であり、本発明の主旨を逸脱しない範囲内において適宜変更可能であることは言うまでもない。
【符号の説明】
【００７０】
１０      カップホルダ
１２      本体
１４      収容部
２０      カップ部
２２      側壁部材
２８      フラップ（支持片）
３６      蓋体
４０      支持アーム（変換手段）
４２      ギア（第１ギア、変換手段）
４４      ラック（第１ラック、変換手段）
５０      ラック（第２ラック、変換手段）
５４      反転バネ
６０      ラック（第３ラック）
６２      ダンパギア
６４      蓋体
６６      カップホルダ
６８      ピン（係止手段）
７０      本体
７２      ハート状カム（係止手段）
７４      スプリング（係止手段）
８０      蓋体
８２      蓋体
８４      カップホルダ
８６      支持アーム（変換手段）
８８      ラック（第２ラック、変換手段）
９０      ラック（第２ラック、変換手段）
９２      支持アーム（変換手段）
【図１】
2010247565.tif 000003
【図２】
2010247565.tif 000004
【図３】
2010247565.tif 000005
【図４】
2010247565.tif 000006
【図５】
2010247565.tif 000007
【図６】
2010247565.tif 000008
【図７】
2010247565.tif 000009
【図８】
2010247565.tif 000010
【図９】
2010247565.tif 000011
【図１０】
2010247565.tif 000012
【図１１】
2010247565.tif 000013
【図１２】
2010247565.tif 000014
【図１３】
2010247565.tif 000015
【図１４】
2010247565.tif 000016